(57)【要約】【課題】枚葉シートの反りを自動的に能率よく矯正することができる反り矯正装置を提供することである。【解決手段】シート搬送コンベヤ５のキャリア側ベルト５ａ上にローラ昇降装置１０によって昇降動される矯正ローラ８を設ける。この矯正ローラ８を下降させてキャリア側ベルト５ａに圧接し、キャリア側ベルト５ａの供給端部上に凸円状の反り面を上向きにして枚葉シートＳを供給し、その枚葉シートＳをキャリア側ベルト５ａと矯正ローラ８の圧接部間に送り込んで枚葉シートＳの反りを矯正する。【選択図】図４
2005060060.tif 000002
【特許請求の範囲】
【請求項１】
枚葉シートを一方向に搬送するシート搬送ベルトと、そのシート搬送ベルトのキャリア側ベルト上に設けられてベルトの幅方向に長く延びる回転可能な矯正ローラと、その矯正ローラを昇降動させ、下降時に前記キャリア側ベルトに矯正ローラを圧接させてキャリア側ベルトを圧接部に向けて下り勾配をもって傾斜させるローラ昇降装置とから成る枚葉シートの反り矯正装置。
【発明の詳細な説明】
【技術分野】
【０００１】
この発明は、枚葉シートの反りを矯正する枚葉シートの反り矯正装置に関するものである。
【背景技術】
【０００２】
一般に、包装箱は、所定の形状に打抜かれ、同時に罫線が入れられたブランクを、その罫線に沿って折曲げ、組立てることによって得られる。
【０００３】
ブランクの形成に際して、シートロールから引き出される連続シートを所定の長さに切断した枚葉シートや、同じく所定の長さに切断した板紙（以下、枚葉シートという）が採用される。このような枚葉シートを用いるブランクの形成には、普通、印刷機によって印刷を施したのち、シート打抜き装置によって所定の形状に打抜き、同時に罫入れする形成方法が採用される。
【発明の開示】
【発明が解決しようとする課題】
【０００４】
ところで、枚葉シートには反りが発生している場合が多い。特に、シートロールから引き出されたシートを所定の長さに切断することにより得られる枚葉シートが紙同士又は紙とプラスチックシートを貼り合わせた積層構造の場合、シートロールの状態で曲きぐせがつけられているため、反りが発生している場合がきわめて多い。
【０００５】
ここで、反りのある枚葉シートを用いて印刷入りのブランクを形成した場合、印刷にずれが生じて精度の高い印刷を施すことができず、また、打抜き、罫入れ時に打抜き罫入れミスが生じて寸法精度の高いブランクを形成することができない。
【０００６】
このため、反りのある枚葉シートは、反りを矯正してから印刷あるいは打抜き、罫入れを行なう必要がある。
【０００７】
枚葉シートの反り矯正に際し、従来は、凸円状の反り面が内面となるよう枚葉シートをうず巻き状に巻付けて反りを矯正するようにしており、その反りの矯正作業が人手による作業であるため、非常に手間がかかっていた。
【０００８】
この発明の課題は、枚葉シートの反りを自動的に能率よく矯正することができるようにした反り矯正装置を提供することである。
【課題を解決するための手段】
【０００９】
上記の課題を解決するために、この発明においては、枚葉シートを一方向に搬送するシート搬送ベルトと、そのシート搬送ベルトのキャリア側ベルト上に設けられてベルトの幅方向に長く延びる回転可能な矯正ローラと、その矯正ローラを昇降動させ、下降時に前記キャリア側ベルトに矯正ローラを圧接させてキャリア側ベルトを圧接部に向けて下り勾配をもって傾斜させるローラ昇降装置とから成る構成を採用したのである。
【００１０】
上記の構成から成る枚葉シートの反り矯正装置によって、枚葉シートの反りを矯正するには、シート搬送ベルトを一方向に走行させ、そのシート搬送ベルトのキャリア側ベルトに矯正ローラを圧接させ、キャリア側ベルトをＶ形に変形させた状態でキャリア側ベルトの供給端部上に枚葉シートを供給する。このとき、枚葉シートは凸円状の反り面を上向きにして供給し、その枚葉シートをキャリア側ベルトと矯正ローラの圧接面間に通過させ、上記キャリア側ベルトと矯正ローラとで枚葉シートに逆向きに反る方向の矯正力を与えて、枚葉シートの反りを矯正する。
【発明の効果】
【００１１】
以上のように、この発明においては、シート搬送ベルトのキャリア側ベルトに矯正ローラを圧接し、キャリア側ベルトの供給端部上に凸円状の反り面を上向きにして枚葉シートを供給し、その枚葉シートをキャリア側ベルトと矯正ローラの圧接部間に送り込むことによって、枚葉シートは逆向きに反る方向の矯正力が負荷されるため、枚葉シートの反りを自動的に能率よく矯正することができる。
【発明を実施するための最良の形態】
【００１２】
以下、この発明の実施の形態を図面に基づいて説明する。図１乃至図３に示すように、架台１上に設けられたヘッドローラ２とテールローラ３は架台１のサイドフレーム１ａに取付けられた軸受４により両端部が回転自在に支持されて略平行の配置とされ、そのヘッドローラ２とテールローラ３間にエンドレスのシート搬送ベルト５がかけ渡されている。
【００１３】
シート搬送ベルト５は複列のベルトから成る。このシート搬送ベルト５は図示省略した回転駆動装置によりヘッドローラ２を回転させることによって図３の矢印方向に移動される。
【００１４】
シート搬送ベルト５のキャリア側ベルト５ａ上にはローラ支持部材６が設けられている。ローラ支持部材６はキャリア側ベルト５ａの幅方向に長く延び、そのローラ支持部材６の下面両端部に取付けられた一対の軸受７によって矯正ローラ８の両端部が回転自在に支持されている。また、ローラ支持部材６には矯正ローラ８の撓みを防止するバックアップローラ９が回転自在に支持されている。
【００１５】
バックアップローラ９として、ここでは、複列に配置された複数のローラから成るものを示したが、矯正ローラ８と略同じ長さの２本のローラを用いるようにしてもよい。２本のローラを用いる場合は、そのローラを矯正ローラ８に平行に配置して、その矯正ローラ８の外周上部に接触させるようにする。
【００１６】
ローラ支持部材６はローラ昇降装置１０によって昇降動される。図２および図３に示すように、ローラ昇降装置１０は、各サイドフレーム１ａの上面から突設する対向配置の一対のコラム１１内に設けられた回転可能なねじ棒１２と、前記ローラ支持部材６の両端部に取付けられて各ねじ棒１２にねじ係合するナット部材１３と、前記コラム１１のそれぞれ上端に取付けられたギヤケース１４と、そのギヤケース１４間に渡された駆動軸１５と、その駆動軸１５の一端部に取付けられたハンドル１６と、前記ギヤケース１４内に組込まれて駆動軸１５の回転を一対のねじ棒１２のそれぞれに伝達する図示省略の互に噛合する一対の傘歯車とを備え、前記ハンドル１６の操作による駆動軸１５の回転を各ねじ棒１２に伝えてローラ支持部材６とこれに取付けた矯正ローラ８を水平に保った状態で昇降動させるようにしている。
【００１７】
実施の形態で示す反り矯正装置は上記の構成から成り、積層シートから成る枚葉シートＳの反りの矯正に際しては、ローラ昇降装置１０の作動によりローラ支持部材６を下降させることによって、矯正ローラ８をシート搬送ベルト５のキャリア側ベルト５ａに圧接させ、矯正ローラ８の前後における上記キャリア側ベルト５ａをそれぞれ圧接部に向けて下り勾配をもって傾斜させてＶ形に変形させたのち、テールローラ３の上方におけるキャリア側ベルト５ａの供給端部上に枚葉シートＳを供給し、上記キャリア側ベルト５ａの移動によってその枚葉シートＳをキャリア側ベルト５ａと矯正ローラ８の圧接部間に送り込む。
【００１８】
キャリア側ベルト５ａに対する矯正ローラ８の圧接力は、枚葉シートＳの反りの大きさ、あるいは枚葉シートＳの厚み、枚葉シートＳの剛性等に応じて適宜に調整する。例えば、反りが大きい枚葉シートＳの場合は、圧接力を大きくする。
【００１９】
上記のような圧接力の調整後における枚葉シートＳの供給に際しては、凸円状の反り面を上向きにして枚葉シートＳを供給する。その枚葉シートＳが矯正ローラ８とキャリア側ベルト５ａの圧接部間に送り込まれると、枚葉シートＳには逆向きに反る方向の矯正力が負荷され、その矯正力の負荷によって枚葉シートＳの反りが矯正される。
【図面の簡単な説明】
【００２０】
【図１】この発明に係る反り矯正装置の実施の形態を示す一部切欠平面図
【図２】図１のII−II線に沿った断面図
【図３】図１のIII−III線に沿った断面図
【図４】枚葉シートの反り矯正状態を示す断面図
【符号の説明】
【００２１】
５  シート搬送コンベヤ
５ａ  キャリア側ベルト
８  矯正ローラ
１０  ローラ昇降装置
【図１】
2005060060.tif 000003
【図２】
2005060060.tif 000004
【図３】
2005060060.tif 000005
【図４】
2005060060.tif 000006